(57)【要約】      （修正有）【課題】着衣から延出して配置されることにより、体液の漏れを抑制する吸収性物品を提供すること。【解決手段】吸収性物品１が、吸収性本体部３と、中央領域ＣＲにおける、一対のフラップ部（第１フラップ部５及び第２フラップ部９）とを備え、中央領域ＣＲにおける、一対のフラップ部（第１フラップ部５及び第２フラップ部９）のそれぞれが、その外縁（外縁４１及び外縁４２）と、吸収コアの側縁（第１吸収コア側縁及び第２吸収コア側縁）との間の、幅方向Ｗの長さが、吸収コアの側縁と、長手方向中央線ＬＣとの間の、幅方向の長さよりも長い部分を含み、一対のフラップ部（第１フラップ部５及び第２フラップ部９）のそれぞれが、長手方向Ｌに延び且つ長手方向Ｌに収縮する弾性部材（第１弾性部材３３及び第２弾性部材３５）を備えることを特徴とする吸収性物品１。【選択図】図１
2017131578.tif 000002
【特許請求の範囲】
【請求項１】
液透過性シートと、液不透過性シートと、それらの間の吸収コアを含む吸収体と、着衣に固定する固定部とを備える吸収性物品であって、
前記吸収性物品が、長手方向及び幅方向を有し、前記長手方向において、前方領域、中央領域及び後方領域に区画されるとともに、前記幅方向において、長手方向中央線により第１領域及び第２領域に区画され、
前記吸収性物品が、前記吸収体及び前記固定部を有するとともに前記長手方向に延びる吸収性本体部と、前記中央領域の第１領域及び第２領域のそれぞれにおいて、前記吸収性本体部の、前記長手方向の側縁から前記幅方向に延出しているフラップ部とを備え、
前記中央領域の第１領域及び第２領域のそれぞれにおいて、前記フラップ部が、前記フラップ部の外縁と、前記吸収コアの側縁との間の、前記幅方向の長さが、前記吸収コアの側縁と、前記長手方向中央線との間の、前記幅方向の長さよりも長い部分を含み、
前記中央領域の第１領域及び第２領域のそれぞれにおいて、前記フラップ部が、前記長手方向に延び且つ前記長手方向に収縮する弾性部材を備える、
ことを特徴とする、前記吸収性物品。
【請求項２】
前記中央領域の第１領域及び第２領域のそれぞれにおいて、前記フラップ部が、着用状態において、少なくともその一部が着用者の内ももに沿って下方に延びるように構成されている、請求項１に記載の吸収性物品。
【請求項３】
第１領域及び第２領域のそれぞれでは、前記吸収性物品が、着用状態において当該吸収性物品から着用者の肌に向かって起立する防漏壁であって、その固定端が、前記フラップ部に存在するものを備える、請求項１又は２に記載の吸収性物品。
【請求項４】
前記中央領域の第１領域及び第２領域のそれぞれにおいて、前記フラップ部が、前記固定部を有しない、請求項１〜３のいずれか一項に記載の吸収性物品。
【請求項５】
前記前方領域の第１領域及び第２領域のそれぞれにおいて、前記吸収性物品が、前記フラップ部であって、前記フラップ部の外縁と、前記吸収コアの側縁との間の、前記幅方向の長さが、前記吸収コアの側縁と、前記長手方向中央線との間の、前記幅方向の長さよりも長い部分を含むものをさらに備える、請求項１〜４のいずれか一項に記載の吸収性物品。
【請求項６】
前記前方領域の第１領域及び第２領域のそれぞれにおいて、前記フラップ部が、着用状態で、少なくともその一部が着用者の鼠径部に沿って着衣の外側に延出するように構成されている、請求項５に記載の吸収性物品。
【請求項７】
第１領域及び第２領域のそれぞれにおいて、前記弾性部材が、前記長手方向の前方の端部及び後方の端部を備え、前記前方の端部が、前記後方の端部よりも、前記吸収性物品の幅方向中央線に近い、請求項５又は６に記載の吸収性物品。
【請求項８】
第１領域及び第２領域のそれぞれでは、前記弾性部材が、前記吸収性物品の幅方向中央線及び前記吸収コアの側縁が交差する交点と、前記前方領域における前記フラップ部の外縁の前記幅方向の最も外側の部分の中で前記長手方向の中央に位置する前方点とを結ぶ仮想線分と、前記吸収性物品の厚さ方向に重複しないように配置されている、請求項５〜７のいずれか一項に記載の吸収性物品。
【請求項９】
前記前方領域の第１領域及び第２領域のそれぞれにおいて、前記フラップ部が、前記固定部を有しない、請求項５〜８のいずれか一項に記載の吸収性物品。
【請求項１０】
前記後方領域の第１領域及び第２領域のそれぞれにおいて、前記吸収性物品が、前記フラップ部であって、前記中央領域における前記フラップ部よりも、前記幅方向の外側に延出しているとともに、前記固定部を有するものをさらに備える、請求項９に記載の吸収性物品。
【請求項１１】
前記後方領域の第１領域及び第２領域のそれぞれにおいて、前記フラップ部が、前記フラップ部の外縁と、前記吸収コアの側縁との間の、前記幅方向の長さが、前記吸収コアの側縁と、前記長手方向中央線との間の、前記幅方向の長さよりも長い部分を含む、請求項１０に記載の吸収性物品。
【請求項１２】
前記吸収性物品が、その幅方向中央線に沿って２つ折りされている、請求項１〜１１のいずれか一項に記載の吸収性物品。
【発明の詳細な説明】
【技術分野】
【０００１】
本開示は、吸収性物品に関する。
【背景技術】
【０００２】
着衣に固定して用いられる吸収性物品、例えば、生理用ナプキンでは、例えば、特許文献１〜３に示されるように、吸収性本体部から、吸収性物品の幅方向に延出する、サイドフラップ部、ヒップフラップ部等を備えるものが知られている。これらの吸収性物品では、サイドフラップ部は、吸収性本体部の長手方向の側部に沿って着衣側に折り畳まれ、着衣の外面に固定され、ヒップフラップ部は、着衣の内面に固定して使用される。
【先行技術文献】
【特許文献】
【０００３】
【特許文献１】特開２０００−１８９４５６号公報
【特許文献２】特開２００５−２２４５３１号公報
【特許文献３】特開２００７−１１１５５４号公報
【発明の概要】
【発明が解決しようとする課題】
【０００４】
従来の着衣に固定して用いられる吸収性物品では、一対のサイドフラップ部は、着衣から延出させて用いられるものではなかった。本願発明者が確認したところ、一対のサイドフラップ部を有する吸収性物品において、一対のサイドフラップ部を着衣に固定しないようにして着用すると、一対のサイドフラップ部が、着用者の内ももに当たり、不快感を覚える一方で、一対のサイドフラップ部が、漏れの抑制には寄与しないことが確認された。
【０００５】
従って、本開示は、着衣から延出して配置されることにより、体液の漏れを抑制する吸収性物品を提供することを目的とする。また、本開示は、着用者に、着衣から延出して配置されることにより、漏れにくさの視覚的な安心感を付与することができる吸収性物品を提供することを目的とする。
【課題を解決するための手段】
【０００６】
本開示者らは、液透過性シートと、液不透過性シートと、それらの間の吸収コアを含む吸収体と、着衣に固定する固定部とを備える吸収性物品であって、上記吸収性物品が、長手方向及び幅方向を有し、上記長手方向において、前方領域、中央領域及び後方領域に区画されるとともに、上記幅方向において、長手方向中央線により第１領域及び第２領域に区画され、上記吸収性物品が、上記吸収体及び上記固定部を有するとともに上記長手方向に延びる吸収性本体部と、上記中央領域の第１領域及び第２領域のそれぞれにおいて、上記吸収性本体部の、上記長手方向の側縁から上記幅方向に延出しているフラップ部とを備え、上記中央領域の第１領域及び第２領域のそれぞれにおいて、上記フラップ部が、上記フラップ部の外縁と、上記吸収コアの側縁との間の、上記幅方向の長さが、上記吸収コアの側縁と、上記長手方向中央線との間の、上記幅方向の長さよりも長い部分を含み、上記中央領域の第１領域及び第２領域のそれぞれにおいて、上記フラップ部が、上記長手方向に延び且つ上記長手方向に収縮する弾性部材を備えることを特徴とする吸収性物品を見出した。
【発明の効果】
【０００７】
本開示の吸収性物品は、着衣から延出して配置されることにより、体液の漏れを抑制する。また、本開示の吸収性物品は、着衣から延出して配置されることにより、着用者に、漏れにくさの視覚的な安心感を付与する。
【図面の簡単な説明】
【０００８】
【図１】図１は、本開示の実施形態の１つ（第１実施形態）に従う吸収性物品１の正面図である。
【図２】図２は、第１実施形態に従う吸収性物品１の背面図である。
【図３】図３は、吸収体１０５を説明するための図である。
【図４】図４は、図１のＩＶ−ＩＶ断面における断面図である。
【図５】図５は、第１実施形態に従う吸収性物品１と、着衣２０１との関係を示す図である。
【図６】図６は、第１実施形態に従う吸収性物品１を説明するための図（平面図）である。
【図７】図７は、第１実施形態に従う吸収性物品１を説明するための図（平面図）である。
【図８】図８は、第１実施形態に従う吸収性物品１の着用の仕方を説明するための図である。
【図９】図９は、第１実施形態に従う吸収性物品１の着用状態を説明するための図である。
【図１０】図１０は、着用状態における、第１実施形態に従う吸収性物品１の、図１のＩＶ−ＩＶ端面に相当する端面図である。
【発明を実施するための形態】
【０００９】
［定義］
・「長手方向」及び「幅方向」
本明細書において、「長手方向」及び「幅方向」は、特に断りのない限り、それぞれ、吸収性物品の「長手方向」及び「幅方向」を意味する。また、長手方向の長さを、単に、「長さ」と称する場合があり、そして幅方向の長さを、単に、「幅」と称する場合がある。
・「前方領域」、「中央領域」及び「後方領域」
本明細書において、「前方領域」、「中央領域」及び「後方領域」は、吸収性物品の長手方向長さを３等分するように区画される仮想領域である。
【００１０】
・「長手方向中央線」及び「幅方向中央線」
本明細書において、「長手方向中央線」は、吸収性物品を幅方向に２等分するように、吸収性物品の長手方向に延びる仮想線であり、そして「幅方向中央線」は、吸収性物品を長手方向に２等分するように、吸収性物品の幅方向に延びる仮想線である。
なお、長手方向中央線は、一般的には、後述の吸収性本体部に存在する。
・「第１領域」及び「第２領域」
本明細書において、「第１領域」及び「第２領域」は、それぞれ、上記長手方向中央線を境界として、一方の領域及び他方の領域を意味する。
【００１１】
・「内側」及び「外側」
本明細書において、特定部分（例えば、フラップ部）が着衣の「内側」にあることは、吸収性物品が固定される着衣を着用した状態において、当該特定部分が、着衣と、着用者の肌との間の領域に存在することを意味し、そして特定部分が着衣の「外側」にあることは、吸収性物品が固定される着衣を着用した状態において、当該特定部分が露出し、外から見えることを意味する。
【００１２】
・「吸収性本体部」
本明細書では、「吸収性本体部」は、吸収性物品の展開状態において、吸収体の長手方向の一方の側縁に沿った直線と、吸収体の長手方向の他方の側縁に沿った直線とによって囲まれた部分を意味する。吸収体の幅が場所によって変化する場合（例えば、吸収体が、砂時計型の形状を有する場合）には、吸収体の幅が最も広い部分を通る、長手方向に延びる２本の直線によって囲まれた部分が、吸収性本体部である。
従って、吸収性本体部の、吸収性物品の長手方向の一方の側縁及び他方の側縁と、吸収コアの一方の側縁及び他方の側縁とは一致しない場合がある。
【００１３】
・「フラップ部」
本明細書において、フラップ部は、中央領域の第１領域及び第２領域のそれぞれにおいて、吸収性本体部の、吸収性物品の長手方向の側縁から、吸収性物品の幅方向に延出している。本明細書では、第１領域におけるフラップ部を、「第１フラップ部」と称し、第２領域におけるフラップ部を「第２フラップ部」と称する場合があり、第１フラップ部及び第２フラップ部を合わせて、「一対のフラップ部」と称する場合がある。
【００１４】
また、前方領域、中央領域及び後方領域におけるフラップ部を、それぞれ、前方フラップ部、中央フラップ部及び後方フラップ部と称する場合がある。また、第１領域における前方フラップ部、中央フラップ部及び後方フラップ部を、それぞれ、「第１前方フラップ部」、「第１中央フラップ部」及び「第１後方フラップ部」と称する場合があり、第２領域における前方フラップ部、中央フラップ部及び後方フラップ部を、それぞれ、「第２前方フラップ部」、「第２中央フラップ部」及び「第２後方フラップ部」と称する場合がある。
【００１５】
また、第１前方フラップ部及び第２前方フラップ部を合わせて、「一対の前方フラップ部」と称する場合があり、第１中央フラップ部及び第２中央フラップ部を合わせて、「一対の中央フラップ部」と称する場合があり、そして第１後方フラップ部及び第２後方フラップ部を合わせて、「一対の後方フラップ部」と称する場合がある。
【００１６】
本開示は、以下の態様に関する。
［態様１］
液透過性シートと、液不透過性シートと、それらの間の吸収コアを含む吸収体と、着衣に固定する固定部とを備える吸収性物品であって、
上記吸収性物品が、長手方向及び幅方向を有し、上記長手方向において、前方領域、中央領域及び後方領域に区画されるとともに、上記幅方向において、長手方向中央線により第１領域及び第２領域に区画され、
上記吸収性物品が、上記吸収体及び上記固定部を有するとともに上記長手方向に延びる吸収性本体部と、上記中央領域の第１領域及び第２領域のそれぞれにおいて、上記吸収性本体部の、上記長手方向の側縁から上記幅方向に延出しているフラップ部とを備え、
上記中央領域の第１領域及び第２領域のそれぞれにおいて、上記フラップ部が、上記フラップ部の外縁と、上記吸収コアの側縁との間の、上記幅方向の長さが、上記吸収コアの側縁と、上記長手方向中央線との間の、上記幅方向の長さよりも長い部分を含み、
上記中央領域の第１領域及び第２領域のそれぞれにおいて、上記フラップ部が、上記長手方向に延び且つ上記長手方向に収縮する弾性部材を備える、
ことを特徴とする、上記吸収性物品。
【００１７】
上記吸収性物品では、一対の中央フラップ部が、所定の幅方向の長さを有するとともに、弾性部材とともに、一対のレッグギャザーを構成している。従って、上記吸収性物品は、一対のレッグギャザーにより、体液、例えば、血液（例えば、経血）、尿等の漏れを抑制できる。また、上記吸収性物品は、吸収性物品の幅方向に延出する、一対のレッグギャザーが、着用者に視覚的な安心感を付与することができる。
【００１８】
［態様２］
上記中央領域の第１領域及び第２領域のそれぞれにおいて、上記フラップ部が、着用状態において、少なくともその一部が着用者の内ももに沿って下方に延びるように構成されている、態様１に記載の吸収性物品。
【００１９】
上記吸収性物品では、一対のレッグギャザーが、着用状態において、少なくともその一部が、着用者の内ももに沿って下方に延びるように構成されているので、着用状態において、一対のレッグギャザーが、鼠径部を超えて、着用者の内ももにフィットしながら下方に延びることができる。従って、上記吸収性物品は、態様２の要件を満たさない場合と比較して、体液の漏れを抑制できる。また、上記吸収性物品は、態様２の要件を満たさない場合と比較して、着用者に、視覚的な安心感をより付与することができる。
【００２０】
［態様３］
第１領域及び第２領域のそれぞれでは、上記吸収性物品が、着用状態において当該吸収性物品から着用者の肌に向かって起立する防漏壁であって、その固定端が、上記フラップ部に存在するものを備える、態様１又は２に記載の吸収性物品。
【００２１】
上記吸収性物品は、第１領域及び第２領域に配置された防漏壁（すなわち、一対の防漏壁）を備え、一対の防漏壁のそれぞれの固定端が、一対のフラップ部のそれぞれに存在する。従って、上記吸収性物品では、着用状態において、一対のフラップ部が、着用者の内ももに沿って下方に延びるにつれて、一対の防漏壁が着用者の肌に向かって起立し、そして外側に拡がりやすくなるので、態様３の要件を満たさない場合と比較して、体液の漏れをより抑制できる。
【００２２】
［態様４］
上記中央領域の第１領域及び第２領域のそれぞれにおいて、上記フラップ部が、上記固定部を有しない、態様１〜３のいずれか一項に記載の吸収性物品。
上記吸収性物品では、一対の中央フラップ部が、着衣に固定するための固定部を有しないので、着用状態において、一対の中央フラップ部が、鼠径部を超えて、着用者の内ももにフィットしながら下方に延びやすくなる。従って、上記吸収性物品は、態様４の要件を満たさない場合と比較して、吸収した体液の漏れをより抑制できる。
【００２３】
［態様５］
上記前方領域の第１領域及び第２領域のそれぞれにおいて、上記吸収性物品が、上記フラップ部であって、上記フラップ部の外縁と、上記吸収コアの側縁との間の、上記幅方向の長さが、上記吸収コアの側縁と、上記長手方向中央線との間の、上記幅方向の長さよりも長い部分を含むものをさらに備える、態様１〜４のいずれかに記載の吸収性物品。
【００２４】
上記吸収性物品では、一対の前方フラップ部が、一対の中央フラップ部よりも、吸収性物品の幅方向の外側に延出している。従って、着用者が、吸収性物品の着用の際（すなわち、吸収性物品を着衣に固定し、着衣を身につけた際）に、一対の前方フラップ部を把持し、吸収性物品の位置を整えやすい。また、上記吸収性物品では、一対のレッグギャザーが、吸収性物品の着用の際及び吸収性物品の着用状態において着衣の中に入り込みにくくなり、漏れが抑制される。
【００２５】
［態様６］
上記前方領域の第１領域及び第２領域のそれぞれにおいて、上記フラップ部が、着用状態で、少なくともその一部が着用者の鼠径部に沿って着衣の外側に延出するように構成されている、態様５に記載の吸収性物品。
【００２６】
上記吸収性物品では、前方領域において、一対のフラップ部が、着用状態で、少なくともその一部が、着用者の鼠径部に沿って着衣の外側に延出するように構成されている。従って、上記吸収性物品は、態様６の要件を満たさない場合と比較して、着用者が、吸収性物品の着用の際に、着衣の外側に延出した部分を把持して、吸収性物品の位置を整えやすい。また、上記吸収性物品では、一対のレッグギャザーが、吸収性物品の着用の際及び吸収性物品の着用状態において、着衣の中に入り込みにくくなり、態様６の要件を満たさない場合と比較して、漏れがより抑制される。
【００２７】
［態様７］
第１領域及び第２領域のそれぞれにおいて、上記弾性部材が、上記長手方向の前方の端部及び後方の端部を備え、上記前方の端部が、上記後方の端部よりも、上記吸収性物品の幅方向中央線に近い、態様５又は６に記載の吸収性物品。
【００２８】
上記吸収性物品では、一対のフラップ部が含む計２本の弾性部材（すなわち、一対の弾性部材）において、前方の端部が、後方の端部よりも幅方向中央線に近い、すなわち、一対の弾性部材が、吸収性物品の後方よりに配置されている。従って、上記吸収性物品では、吸収性物品の着用の際に、一対の前方フラップ部が、弾性部材につられて吸収性物品の幅方向の内側（長手方向中央線側）に入り込みにくく、着用者が、一対の前方フラップ部を把持し、吸収性物品の位置を整えやすい。また、上記吸収性物品では、着用状態においても、一対の前方フラップ部が、弾性部材に引っ張られて吸収性物品の幅方向の内側（長手方向中央線側）に入り込みにくい。
【００２９】
［態様８］
第１領域及び第２領域のそれぞれでは、上記弾性部材が、上記吸収性物品の幅方向中央線及び上記吸収コアの側縁が交差する交点と、上記前方領域における上記フラップ部の外縁の上記幅方向の最も外側の部分の中で上記長手方向の中央に位置する前方点とを結ぶ仮想線分と、上記吸収性物品の厚さ方向に重複しないように配置されている、態様５〜７のいずれか一項に記載の吸収性物品。
【００３０】
着衣に固定して用いられる吸収性物品では、通常、吸収体は、着衣、例えば、ショーツの最も狭い部分である、股間幅（両内ももの幅）に合わせて設計されている。吸収性物品において、弾性部材を所定の位置に配置することにより、吸収性物品の着用状態において、着衣の脚周り開口部と、弾性部材とが着衣及び吸収性物品の厚さ方向に交差しにくくなる。その結果、着用状態において、一対のレッグギャザーが、着衣に引きつられて着衣の内側に引き込まれにくくなり、吸収性物品の位置がずれにくく、一対のレッグギャザーがその機能を発揮しやすくなる。
【００３１】
［態様９］
上記前方領域の第１領域及び第２領域のそれぞれにおいて、上記フラップ部が、上記固定部を有しない、態様５〜８のいずれか一項に記載の吸収性物品。
上記吸収性物品では、一対の前方フラップ部が、着衣に固定するための固定部を有しないので、着用者が、吸収性物品の着用の際に、一対の前方フラップ部を、着衣に制限されずに動かすことができる。従って、上記吸収性物品は、その着用の際に、一対の前方フラップ部を把持し、位置を整えやすい。
【００３２】
［態様１０］
上記後方領域の第１領域及び第２領域のそれぞれにおいて、上記吸収性物品が、上記フラップ部であって、上記中央領域における上記フラップ部よりも、上記幅方向の外側に延出しているとともに、上記固定部を有するものをさらに備える、態様９に記載の吸収性物品。
【００３３】
上記吸収性物品では、一対の後方フラップ部が、一対の中央フラップ部よりも、吸収性物品の幅方向の外側に延出しているとともに、着衣に固定するための固定部を有する。従って、上記吸収性物品では、一対のレッグギャザーが、吸収性物品の着用の際及び吸収性物品の着用状態において、着衣の中に入り込みにくくなり、態様１０の要件を満たさない場合と比較して、漏れをより抑制できる。
【００３４】
［態様１１］
上記後方領域の第１領域及び第２領域のそれぞれにおいて、上記フラップ部が、上記フラップ部の外縁と、上記吸収コアの側縁との間の、上記幅方向の長さが、上記吸収コアの側縁と、上記長手方向中央線との間の、上記幅方向の長さよりも長い部分を含む、態様１０に記載の吸収性物品。
上記吸収性物品では、吸収性物品の着用状態において、一対の後方フラップ部が、一対のレッグギャザーが着衣の内側に入り込むのを抑制するように作用するので、上記吸収性物品は、態様１１の要件を満たさない場合と比較して、漏れをより抑制できる。
【００３５】
［態様１２］
上記吸収性物品が幅方向中央線に沿って２つ折りされている、態様１〜１１のいずれか一項に記載の吸収性物品。
上記吸収性物品は、上記幅方向中央線に沿って２つ折りされているので、吸収性物品の着用状態において幅方向中央線に沿って、着用者との間に空隙ができやすくなり、着用者の皮膚が、吸収性物品が吸収した体液に直接触れにくくなる。
【００３６】
本開示の吸収性物品について、以下、詳細に説明する。
図１は、本開示の実施形態の１つ（第１実施形態）に従う吸収性物品１、具体的には、生理用ナプキンの正面図である。図２は、第１実施形態に従う吸収性物品１の背面図である。図３は、吸収体１０５を説明するための図である。図４は、図１のＩＶ−ＩＶ断面における断面図である。図５は、第１実施形態に従う吸収性物品１と、着衣２０１との関係を示す図である。図６及び図７は、第１実施形態に従う吸収性物品１を説明するための図（平面図）である。図８は、第１実施形態に従う吸収性物品１の着用の仕方を説明するための図である。図９は、第１実施形態に従う吸収性物品１の着用状態を説明するための図である。図１０は、着用状態における、第１実施形態に従う吸収性物品１の、図１のＩＶ−ＩＶ断面に相当する断面図である。なお、図１〜図３及び図５〜７において、向かって上方が吸収性物品１の前方であり、そして向かって下方が吸収性物品１の後方である。
【００３７】
第１実施形態に従う吸収性物品１は、液透過性シート１０１と、液不透過性シート１０３と、液透過性シート１０１及び液不透過性シート１０３の間の、吸収コア１０６及びコアラップ１０７を含む吸収体１０５と、着衣に固定する固定部１７，固定部４９及び固定部５０とを備える。吸収性物品１は、長手方向Ｌ及び長手方向Ｌと直交する幅方向Ｗ、並びに長手方向中央線ＬＣ及び幅方向中央線ＷＣを有する。吸収性物品１はまた、長手方向Ｌに沿って吸収性物品１の長手方向Ｌの長さを三等分する、前方領域ＦＲ、中央領域ＣＲ及び後方領域ＢＲに区画される。さらに、吸収性物品１は、長手方向中央線ＬＣを境界として、一方の領域である第１領域ＦＩと、他方の領域である第２領域ＳＥとに区画される。
【００３８】
吸収性物品１は、長手方向Ｌに延びる吸収性本体部３と、吸収性本体部３の、長手方向Ｌの一方の側縁１３及び他方の側縁１４から幅方向Ｗにそれぞれ延出している、一対のフラップ部、すなわち、第１フラップ部５及び第２フラップ部９とを備える。第１フラップ部５及び第２フラップ部９は、それぞれ、第１領域ＦＩ及び第２領域ＳＥに配置されている。
【００３９】
第１フラップ部５及び第２フラップ部９は、それぞれ、前方領域ＦＲ、中央領域ＣＲ、及び後方領域ＢＲにおいて、吸収性本体部３の、長手方向Ｌの一方の側縁１３及び他方の側縁１４から幅方向Ｗにそれぞれ延出しており、第１フラップ部５が、第１領域ＦＩに配置され、そして第２フラップ部９が、第２領域ＳＥに配置されている。
【００４０】
第１フラップ部５は、前方領域ＦＲにおける第１前方フラップ部６と、中央領域ＣＲにおける第１中央フラップ部７と、後方領域ＢＲにおける第１後方フラップ部８とに区画される。第１前方フラップ部６及び第１後方フラップ部８のそれぞれは、第１中央フラップ部７よりも、吸収性物品１の幅方向Ｗの外側に延出する部分を含む。
同様に、第２フラップ部９は、前方領域ＦＲにおける第２前方フラップ部１０と、中央領域ＣＲにおける第２中央フラップ部１１と、後方領域ＢＲにおける第２後方フラップ部１２とに区画される。第２前方フラップ部１０及び第２後方フラップ部１２のそれぞれは、第２中央フラップ部１１よりも、吸収性物品１の幅方向Ｗの外側に延出する部分を含む。
【００４１】
図１及び図４に示されるように、吸収性本体部３は、肌側から着衣側に向かって順に、液透過性シート１０１と、吸収コア１０６及びコアラップ１０７を含む吸収体１０５と、液不透過性シート１０３と、吸収性本体部３を着衣に固定するための固定部１７とを備える。固定部１７は、液不透過性シート１０３の着衣側面１０４に固定されている。
【００４２】
図３に示されるように、吸収体１０５は、吸収コア１０６及びコアラップ１０７を備え、吸収コア１０６が、長手方向Ｌの一方の側縁である、第１吸収コア側縁１５と、長手方向Ｌの他方の側縁である、第２吸収コア側縁１６とを備える。
第１吸収コア側縁１５は、吸収性本体部（図示せず）の一方の側縁（図示せず）よりに、そして第１領域ＦＩに配置されている。第２吸収コア側縁１６は、吸収性本体部（図示せず）の他方の側縁（図示せず）よりに、そして第２領域ＳＥに配置されている。
【００４３】
吸収体１０５、吸収コア１０６及びコアラップ１０７は、長手方向Ｌにおいて、前方領域ＦＲ、中央領域ＣＲ及び後方領域ＢＲに配置されている。
また、吸収コア１０６では、中央領域ＣＲを中心に、第１吸収コア側縁１５及び第２吸収コア側縁１６のそれぞれが、窪み部１０９を備えることにより、吸収コア１０６が、吸収性物品１の展開状態において、砂時計形状を有している。
【００４４】
図１及び図４に示されるように、第１フラップ部５は、肌側から着衣側に向かって順に、概ね、弾性部材２４を備える第１防漏壁２１、液透過性シート１０１、吸収体１０５よりに配置された弾性部材３１、第１フラップ部５の外縁４１よりに配置された第１弾性部材３３、サイドシート１１１、及び液不透過性シート１０３を備える。
第１弾性部材３３は、第１フラップ部５、具体的には、第１フラップ部５の構成部材である、第１防漏壁２１を構成するシートと、サイドシート１１１と、液不透過性シート１０３と一緒になって第１レッグギャザー４３を形成している。
【００４５】
同様に、第２フラップ部９は、肌側から着衣側に向かって順に、概ね、弾性部材３０を備える第２防漏壁２７、液透過性シート１０１、吸収体１０５よりに配置された弾性部材３２、第２フラップ部９の外縁４２よりに配置された第２弾性部材３５、サイドシート１１２、及び液不透過性シート１０３を備える。
第２弾性部材３５は、第２フラップ部９、具体的には、第２フラップ部９の構成部材である、第２防漏壁２７を構成するシートと、サイドシート１１２と、液不透過性シート１０３と一緒になって第２レッグギャザー４４を形成している。
【００４６】
図５に示されるように、着衣２０１に固定されて用いられる吸収性物品１では、中央領域ＣＲにおいて、着衣２０１の股間幅（脚周り開口部２０３と、脚周り開口部２０５との間の距離）と、吸収体１０５（吸収性本体部３）の幅方向Ｗの長さとが略一致している。着衣２０１の股間幅と、吸収体１０５（吸収性本体部３）の上述の長さとは、一般的に、着用者の股間幅（両脚の内もも間の距離）に合わせて設計されるからである。着衣２０１の股間幅は、着衣２０１のカット型、例えば、レギュラーカット型（すなわち、脚周り開口部のラインが、着用者の脚繰りに沿うもの）であっても、ローレッグカット型（すなわち、脚周り開口部のラインがレギュラーカット型よりも浅いもの）であっても、そしてハイレッグカット型（すなわち、脚周り開口部のラインがレギュラーカット型よりも深いもの）によらず、概ね同等である。また、着衣２０１の股間幅は、サイズが異なる場合であっても概ね同等である。
【００４７】
後方領域ＢＲでは、着衣２０１の脚周り開口部２０３及び脚周り開口部２０５のそれぞれが、後方に進むほど、長手方向中央線ＬＣから遠ざかる。着用者の臀部を覆うためである。また、前方領域ＦＲでは、着衣２０１の脚周り開口部２０３及び脚周り開口部２０５のそれぞれは、後方領域ＢＲと比較すると緩やかではあるが、前方に進むほど、長手方向中央線ＬＣから遠ざかる。着用者の腹部を覆う一方で、着用者が脚を上げることを阻害しないためである。
【００４８】
なお、前方領域ＦＲ及び後方領域ＢＲでは、着衣２０１の脚周り開口部２０３及び脚周り開口部２０５のラインは、着衣２０１のカット型によって異なり、例えば、ロウレッグカット型では、前方領域ＦＲ及び後方領域ＢＲにおいて、着衣２０１の脚周り開口部２０３及び脚周り開口部２０５のそれぞれが、レギュラーカット型よりも、長手方向中央線ＬＣから遠い傾向にある。また、ハイレッグカット型では、前方領域ＦＲ及び後方領域ＢＲにおいて、着衣２０１の脚周り開口部２０３及び脚周り開口部２０５のそれぞれが、レギュラーカット型よりも、長手方向中央線ＬＣに近い傾向がある。
【００４９】
図６は、第１実施形態に従う吸収性物品１を説明するための図（正面図）であり、説明のため、液透過性シート１０１、第１防漏壁２１、第２防漏壁２７、並びにサイドシート１１１及びサイドシート１１２が省略されている。
【００５０】
図６に示されるように、第１中央フラップ部７が、第１中央フラップ部７の外縁４１と、第１吸収コア側縁１５との間の、幅方向Ｗの長さ：ｋ1が、第１吸収コア側縁１５と、長手方向中央線ＬＣとの間の、幅方向Ｗの長さ：ｋ1'よりも長い部分を含む。また、第２中央フラップ部１１が、第２中央フラップ部１１の外縁４２と、第２吸収コア側縁１６との間の、幅方向Ｗの長さ：ｋ2が、第２吸収コア側縁１６と、長手方向中央線ＬＣとの間の、幅方向Ｗの長さ：ｋ2'よりも長い部分を含む。そうすることにより、第１中央フラップ部７及び第２中央フラップ部１１が、それぞれ、着用状態において、着衣（図示せず）の脚周り開口部２０３及び脚周り開口部２０５より外側に延出し、着用者の内ももに沿って下方に延びるように配置される。
【００５１】
図６に示されるように、第１前方フラップ部６は、第１前方フラップ部６の外縁４１と、第１吸収コア側縁１５との間の、幅方向Ｗの長さ：ｍ1が、第１吸収コア側縁１５と、長手方向中央線ＬＣとの間の、幅方向Ｗの長さ：ｍ1'よりも長い部分を含む。また、第２前方フラップ部１０は、第２前方フラップ部１０の外縁４２と、第２吸収コア側縁１６との間の、幅方向Ｗの長さ：ｍ2が、第２吸収コア側縁１６と、長手方向中央線ＬＣとの間の、幅方向Ｗの長さ：ｍ2'よりも長い部分を含む。そうすることにより、着衣（図示せず）がローレッグカット型であっても、第１前方フラップ部６及び第２前方フラップ部１０が、それぞれ、着用状態において、着用者の鼠径部に沿って、着衣（図示せず）の脚周り開口部２０３及び脚周り開口部２０５よりも幅方向Ｗの外側に延出しやすくなる。
【００５２】
図６に示されるように、第１後方フラップ部８が、第１後方フラップ部８の外縁４１と、第１吸収コア側縁１５との間の幅方向Ｗの長さ：ｎ1が、第１吸収コア側縁１５と、長手方向中央線ＬＣとの間の、幅方向Ｗの長さ：ｎ1'よりも長い部分を含む。また、第２後方フラップ部１２が、第２後方フラップ部１２の外縁４２と、第２吸収コア側縁１６との間の幅方向Ｗの長さ：ｎ2が、第２吸収コア側縁１６と、長手方向中央線ＬＣとの間の、幅方向Ｗの長さ：ｎ'よりも長い部分を含む。
【００５３】
そうすることにより、第１後方フラップ部８が、着用状態において、第１中央フラップ部７が構成する第１レッグギャザー４３が、着衣（図示せず）の脚周り開口部２０３よりも長手方向中央線ＬＣ側に入り込むことを抑制するように作用するので、吸収した体液が漏れにくくなる。同様に、第２後方フラップ部１２が、着用状態において、第２中央フラップ部１１が構成する第２レッグギャザー４４が、着衣（図示せず）の脚周り開口部２０５よりも長手方向中央線ＬＣ側に入り込むことを抑制するように作用するので、吸収した体液が漏れにくくなる。
【００５４】
図６に示されるように、第１弾性部材３３は、前方の端部３３ａと、後方の端部３３ｂとを有し、前方の端部３３ａが、後方の端部３３ｂよりも、幅方向中央線ＷＣに近い。また、第２弾性部材３５が、前方の端部３５ａと、後方の端部３５ｂとを有し、前方の端部３５ａが、後方の端部３５ｂよりも、幅方向中央線ＷＣに近い。すなわち、第１弾性部材３３及び第２弾性部材３５が、吸収性物品１の後方よりに配置されている。
【００５５】
そうすることにより、着用の際に、第１前方フラップ部６及び第２前方フラップ部１０が、それぞれ、第１弾性部材３３及び第２弾性部材３５に引っ張られにくくなり、吸収性物品１の幅方向Ｗの内側に入り込みにくくなり、着衣（図示せず）の脚周り開口部２０３及び脚周り開口部２０５よりも長手方向中央線ＬＣ側に入り込みにくくなる。その結果、着用者が、第１前方フラップ部６及び第２前方フラップ部１０を把持して、吸収性物品１の位置を整えやすくなる。また、その際に、第１中央フラップ部７（第１レッグギャザー４３）及び第２中央フラップ部１１（第２レッグギャザー４４）のそれぞれが、鼠径部を超えて、着用者の内ももにフィットしながら下方に延びやすくなる。
【００５６】
さらに、着用状態においても、第１前方フラップ部６及び第２前方フラップ部１０が、それぞれ、第１弾性部材３３及び第２弾性部材３５に引っ張られにくくなり、吸収性物品１の幅方向Ｗの内側に入り込みにくくなり、着衣（図示せず）の脚周り開口部２０３及び脚周り開口部２０５よりも長手方向中央線ＬＣ側に入り込みにくくなる。その結果、第１中央フラップ部７（第１レッグギャザー４３）及び第２中央フラップ部１１（第２レッグギャザー４４）のそれぞれが、鼠径部を超えて、着用者の内ももにフィットしながら下方に延びた状態を保持しやすくなり、吸収した体液を漏らしにくい。
【００５７】
図７は、第１実施形態に従う吸収性物品１を説明するための図（正面図）であり、図６と同様、説明のため、液透過性シート１０１、第１防漏壁２１、第２防漏壁２７、並びにサイドシート１１１及びサイドシート１１２が省略されている。
【００５８】
図７に示されるように、吸収性物品１の展開状態において、第１弾性部材３３は、幅方向中央線ＷＣ及び第１吸収コア側縁１５が交差する第１交点５１と、第１前方フラップ部６の外縁４１の幅方向Ｗの最も外側の部分の中で長手方向Ｌの中央に位置する第１前方点５３とを結ぶ第１仮想線分ＶＬ1と、吸収性物品１の厚さ方向（図示せず）に重複しないように配置されている。また、第２弾性部材３５は、吸収性物品１の展開状態において、幅方向中央線ＷＣ及び第２吸収コア側縁１６が交差する第２交点５２と、第２前方フラップ部１０の外縁４２の幅方向Ｗの最も外側の部分の中で長手方向Ｌの中央に位置する第２前方点５４とを結ぶ第２仮想線分ＶＬ2と、吸収性物品１の厚さ方向（図示せず）に重複しないように配置されている。
【００５９】
着衣が、脚周り開口部のラインが浅いものである場合、例えば、ローレッグカット型である場合には、着衣の脚周り開口部２０３及び脚周り開口部２０５が、それぞれ、第１仮想線分ＶＬ1及び第２仮想線分ＶＬ2のラインを通る傾向がある。そのような場合であっても、着用状態において、着衣の脚周り開口部２０３が、第１弾性部材３３と確実に離間し、第１中央フラップ部７（第１レッグギャザー４３）が着衣の内側に引き込まれにくくなり、吸収性物品１の位置がずれにくくなるとともに、第１レッグギャザー４３がその機能を発揮しやすくなる。
【００６０】
同様に、着用状態において、着衣の脚周り開口部２０５が、中央領域ＣＲにおいて、第２弾性部材３５と確実に離間し、第２中央フラップ部１１（第２レッグギャザー４４）が着衣の内側に引き込まれにくくなり、吸収性物品１の位置がずれにくくなるとともに、第２レッグギャザー４４がその機能を発揮しやすくなる。
【００６１】
図７に示されるように、吸収性物品１は、その展開状態において、吸収性物品１の幅方向中央線ＷＣと、第１吸収コア側縁１５とが交差する第１交点５１と、第１前方フラップ部６の外縁４１の幅方向Ｗの最も外側の部分の中で長手方向Ｌの中央に位置する第１前方点５３とを結ぶ第１前方仮想線分ＶＬ1を有する。同様に、吸収性物品１は、その展開状態において、吸収性物品１の幅方向中央線ＷＣと、第２吸収コア側縁１６とが交差する第２交点５２と、第２前方フラップ部１０の外縁４２の幅方向Ｗの最も外側の部分の中で長手方向Ｌの中央に位置する第２前方点５４とを結ぶ第２前方仮想線分ＶＬ2とを有する。
【００６２】
吸収性物品１の展開状態において、第１前方仮想線分ＶＬ1は、第１フラップ部５の外縁４１と、第１前方点５３を除いて、吸収性物品１の厚さ方向（図示せず）に重複しておらず、そして第２前方仮想線分ＶＬ2は、第２フラップ部９の外縁４２と、第２前方点５４を除いて、吸収性物品１の厚さ方向（図示せず）に重複していない。
【００６３】
そうすることにより、着用者が、吸収性物品１を、未着用状態の着衣（図示せず）に仮固定し、着衣を身につけた際に、第１前方フラップ部６及び第２前方フラップ部１０を把持して、未着用状態の着衣（図示せず）から伸長した状態にある着用状態の着衣（図示せず）のサイズに合わせて、吸収性物品１の位置（好ましくは、吸収性物品１の幅方向中央線ＷＣから前方の部分の位置）を、着用状態の着衣（図示せず）に合わせて修正することができる。具体的には、第１前方フラップ部６及び第２前方フラップ部１０を把持して、それらを長手方向Ｌの前方、及び幅方向Ｗの外側に動かした際に、それらに加えられた力が、ダイレクトに吸収コア１０６の幅方向中央線ＷＣの近傍まで作用することができ、吸収性物品１の位置（好ましくは、吸収性物品１の幅方向中央線ＷＣから前方の部分の位置）を、着用状態の着衣（図示せず）に合わせて修正することができる。その結果、着用者が、吸収性物品１の着用状態において違和感を覚えにくくなる。
【００６４】
図７に示されるように、吸収性物品１は、第１交点５１と、第１後方フラップ部８の外縁４１の幅方向Ｗの最も外側の部分の中で長手方向Ｌの中央に位置する第１後方点５５とを結ぶ第１後方仮想線分ＶＬ3を有する。同様に、吸収性物品１は、第２交点５２と、第２後方フラップ部１２の外縁４２の幅方向Ｗの最も外側の部分の中で長手方向Ｌの中央に位置する第２後方点５６とを結ぶ第２後方仮想線分ＶＬ4を有する。
【００６５】
吸収性物品１の展開状態において、第１後方仮想線分ＶＬ3は、第１フラップ部５の外縁４１と、第１後方点５５を除いて、吸収性物品１の厚さ方向（図示せず）に重複しておらず、そして第２後方仮想線分ＶＬ4は、第２フラップ部９の外縁４２と、第２後方点５６を除いて、吸収性物品１の厚さ方向（図示せず）に重複していない。
【００６６】
そうすることにより、第１前方フラップ部６及び第２前方フラップ部１０を把持して、それらを長手方向Ｌの前方、及び幅方向Ｗの外側に動かした際に、それらに加えられた力が、吸収コア１０６の幅方向中央線ＷＣの近傍まで作用し、次いで、当該力が、幅方向中央線ＷＣの近傍から、第１後方点５５及び第２後方点５６に向かって作用するため、吸収性物品１の位置（好ましくは、吸収性物品１の幅方向中央線ＷＣから後方の部分の位置）を、着用状態の着衣（図示せず）に合わせて修正することができる。その結果、着用者が、吸収性物品１の着用状態において違和感を覚えにくくなる。
【００６７】
また、着用者が吸収性物品１を着用する際に、着衣（図示せず）に、第１後方フラップ部８及び第２後方フラップ部１２を仮固定すると、着用者が着衣（図示せず）を身につけた際に、着衣の胴周り方向が伸び、それにつられて、第１後方フラップ部８及び第２後方フラップ部１２が、幅方向Ｗの外側に押し広げられるような力を受ける。上記力は、吸収性物品１の幅方向中央線ＷＣの近傍までダイレクトに作用することができるので、吸収性物品１の幅方向中央線ＷＣから後方の部分を、適切な位置に皺なく配置させることができる。その結果、着用者が、着用状態において違和感を覚えにくくなる。
【００６８】
図２に示されるように、吸収性本体部３が、第１前方点５３と、第２前方点５４とを通る仮想線ＶＬよりも前方に、着衣に固定するため固定部１７を備える。そうすることにより、着用者が、吸収性物品１を着用する際に、第１前方フラップ部６及び第２前方フラップ部９を把持して吸収性物品１の位置を整えやすくなるとともに、着用状態において吸収性物品１の前方領域ＦＲの部分が着用者の鼠径部にフィットし続け、そして吸収性物品１がよれにくくなる。
【００６９】
図１及び図４に示されるように、第１防漏壁２１は、第１フラップ部５、具体的には、第１フラップ部５を構成する液透過性シート１０１に固定された固定端２２と、固定端２２の反対側の自由端２３と備える。なお、第１防漏壁２１の固定端２２及び自由端２３は、長手方向Ｌに延びている。同様に、図１及び図４に示されるように、第２防漏壁２７は、第２フラップ部９、具体的には、第２フラップ部９を構成する液透過性シート１０１に固定された固定端２８と、固定端２８の反対側の自由端２９と備える。なお、第２防漏壁２７の固定端２８及び自由端２９は、長手方向Ｌに延びている。
【００７０】
そうすることにより、着用状態において、第１フラップ部５及び第２フラップ部９が、それぞれ、着用者の内ももに沿って下方に延びるにつれて、第１防漏壁２１及び第２防漏壁２７が着用者の肌に向かって起立し、そして第１防漏壁２１の自由端２３及び第２防漏壁２７の自由端２９が幅方向Ｗの外側に拡がりやすくなるので、体液の漏れを抑制しやすくなる。
【００７１】
図１及び図４に示されるように、第１防漏壁２１は、自由端２３よりに、中央領域ＣＲから後方領域ＢＲに渡り弾性部材２４を含み、そして第２防漏壁２７は、自由端２９よりに、中央領域ＣＲから後方領域ＢＲに渡り弾性部材３０を含む。
【００７２】
図１に示されるように、第１防漏壁２１の自由端２３の、長手方向Ｌの両端は、固定部１１３により、吸収性本体部３を構成する液透過性シート１０１に固定されている。同様に、第２防漏壁２７の自由端２９の、長手方向Ｌの両端は、固定部１１４により、吸収性本体部３を構成する液透過性シート１０１に固定されている。そうすることにより、吸収性物品１の着用状態において、第１フラップ部５及び第２フラップ部９が、それぞれ、着用者の内ももに沿って下方に延びるにつれて、第１防漏壁２１及び第２防漏壁２７が着用者の肌に向かって起立しやすくなる。
【００７３】
図２に示されるように、第１中央フラップ部７（第１レッグギャザー４３）は、その着衣側面、具体的には、第１中央フラップ部７を構成する液不透過性シート１０３の着衣側面に、着衣に固定するための固定部を有しない。同様に、第２中央フラップ部１１（第２レッグギャザー４４）は、その着衣側面、具体的には、第２中央フラップ部１１を構成する液不透過性シート１０３の着衣側面に、着衣に固定するための固定部を有しない。そうすることにより、第１中央フラップ部７（第１レッグギャザー４３）及び第２中央フラップ部１１（第２レッグギャザー４４）のそれぞれが、着用状態において、着用者の内ももに沿って下方に延びるように配置されやすくなり、その機能を発揮しやすくなる。
【００７４】
図２に示されるように、第１前方フラップ部６は、その着衣側面、具体的には、第１前方フラップ部６を構成する液不透過性シート１０３の着衣側面に、着衣に固定するための固定部を有しない。同様に、第２前方フラップ部１０は、その着衣側面、具体的には、第２前方フラップ部１０を構成する液不透過性シート１０３の着衣側面に、着衣に固定するための固定部を有しない。そうすることにより、第１前方フラップ部６及び第２前方フラップ部１０のそれぞれが、着用状態において、着用者の鼠径部に沿って着衣の外側に延出しやすくなり、その機能を発揮しやすくなる。
【００７５】
図２に示されるように、第１後方フラップ部８は、第１中央フラップ部７よりも、幅方向Ｗの外側に延出している部分を含み、第１後方フラップ部８は、その着衣側面、具体的には、第１後方フラップ部８を構成する液不透過性シート１０３の着衣側面に、着衣に固定するための固定部４９を有する。また、第１後方フラップ部８において、固定部４９は、第１中央フラップ部７よりも、幅方向Ｗの内側の領域だけでなく、その外側の領域に配置されている。
【００７６】
同様に、第２後方フラップ部１２は、第２中央フラップ部１１よりも、幅方向Ｗの外側に延出している部分を含み、その着衣側面、具体的には、第２後方フラップ部１２を構成する液不透過性シート１０３の着衣側面に、着衣に固定するための固定部５０を有する。また、第２後方フラップ部１２において、固定部５０は、第２中央フラップ部１１よりも、幅方向Ｗの内側の領域だけでなく、外側の領域に配置されている。
【００７７】
そうすることにより、第１後方フラップ部８が、着用の際及び着用状態の両方において、第１中央フラップ部７を幅方向Ｗの外側に留めるように作用し、第１中央フラップ部７が、第１レッグギャザー４３として機能しやすくなる。また、第２後方フラップ部１２が、着用の際及び着用状態の両方において、第２中央フラップ部１１を幅方向Ｗの外側に留めるように作用し、第２中央フラップ部１１が、第２レッグギャザー４４として機能しやすくなる。
【００７８】
第１実施形態に従う吸収性物品１の着用の仕方、並びに着用状態を、必要に応じて図８及び図９を用いて説明する。
（ｉ）着用者は、吸収性物品１を着衣２０１、具体的にはショーツの内面に置き、図２に示される固定部１７、固定部４９及び固定部５０を着衣２０１に仮固定する。
（ｉｉ）着用者は、吸収性物品１を間にして、着衣２０１を履く。その際、第１後方フラップ部８の固定部４９と、第２後方フラップ部１２の固定部５０とが、着衣２０１に固定される。
（ｉｉｉ）図８に示されるように、着用者は、第１前方フラップ部６を右手の親指及び人差し指でつまみ、そして第２前方フラップ部１０を、左手の親指及び人差し指でつまむ。第１前方フラップ部６及び第２前方フラップ部１０が着衣２０１の内側に入っている場合には、着用者は、着衣２０１と鼠径部との間に指を入れ、それらを着衣の外側に引き出す。
【００７９】
（ｉｖ）右手及び左手を、吸収性物品１の長手方向Ｌの前方に動かし、第１前方フラップ部６及び第２前方フラップ部１０の幅方向中央線（図示せず）より前方の部分の位置を修正するとともに、右手及び左手を、吸収性物品１の幅方向Ｗの外側に動かし、吸収性物品１の幅方向Ｗのよれ、皺等を取り除く。
（ｖ）そうすることにより、図９に示されるように、第１前方フラップ部６の一部が、着衣２０１の脚周り開口部２０３の外側に延出し、第２前方フラップ部１０の一部が、着衣２０１の脚周り開口部２０５の外側に延出する。
【００８０】
（ｖｉ）図９に示されるように、第１中央フラップ部７の一部が、第１レッグギャザー４３を構成するとともに、着衣２０１の脚周り開口部２０３の外側に延出し、着用者の内ももに沿って下方に延びる。同様に、第２前方フラップ部１０の一部が、着衣２０１の脚周り開口部２０５の外側に延出し、第２中央フラップ部１１の一部が、第２レッグギャザー４４を構成するとともに、着衣２０１の脚周り開口部２０５の外側に延出し、着用者の内ももに沿って下方に延びる。
（ｖｉｉ）着衣２０１の上に下衣等を着衣することにより、図２に示される固定部１７、固定部４９及び固定部５０が、着衣２０１に本固定される。
【００８１】
図１０に示されるように、吸収性物品１の着用状態において、第１レッグギャザー４３と、第２レッグギャザー４４とのそれぞれが、着衣２０１の外側に延出し、着用者の内ももに沿って下方に延びている。また、第１レッグギャザー４３が着用者の内ももに沿って下方に延びるとともに、第１防漏壁２１が、着用者の肌に向かって起立し、体液を漏らしにくくなる。同様に、第２レッグギャザー４４が着用者の内ももに沿って下方に延びるとともに、第２防漏壁２７が、着用者の肌に向かって起立し、体液を漏らしにくくなる。
【００８２】
第１実施形態では、吸収性物品１が、第１フラップ部５及び第２フラップ部９のそれぞれを、前方領域ＦＲ、中央領域ＣＲ及び後方領域ＢＲに有していたが、本開示の吸収性物品は、一対のフラップ部を、中央領域の一部において有していればよく、好ましくは中央領域の全体に有する。本開示の効果の観点からである。本開示の吸収性物品は、一対のフラップ部を、例えば、前方領域（すなわち、一対の前方フラップ部）にさらに備えることができ、そして後方領域（すなわち、一対の後方フラップ部）にさらに備えることができる。本開示の吸収性物品は、例えば、一対のフラップ部を、前方領域（すなわち、一対の前方フラップ部）及び中央領域（すなわち、一対の中央フラップ部）に有することができ、中央領域（すなわち、一対の中央フラップ部）及び後方領域（すなわち、一対の後方フラップ部）に有することができる。
【００８３】
本開示の吸収性物品の第１領域及び第２領域のそれぞれでは、中央フラップ部が、中央フラップ部の外縁と、吸収コアの側縁との間の、吸収性物品の幅方向の長さが、吸収コアの側縁と、長手方向中央線との間の、吸収性物品の幅方向の長さよりも長い部分を含み、好ましくは１．２倍以上、より好ましくは１．４倍以上、そしてさらに好ましくは１．６倍以上長い部分を含む。そうすることにより、一対の中央フラップ部により構成される一対のレッグギャザーの、着衣の外側に延出する長さが長くなり、体液が漏れにくくなる。なお、上述の長さの関係は、吸収性物品の幅方向に延びる同一直線上で満たすことが好ましい。
【００８４】
また、一対の中央フラップ部のそれぞれは、着衣に固定するための固定部を有しないことが好ましい。吸収性物品の着用状態において、一対の中央フラップ部が、一対のレッグギャザーを構成するとともに、着用者の内ももに沿って下方に延びるためである。
【００８５】
本開示の吸収性物品が、第１領域及び第２領域のそれぞれにおいて、前方フラップ部（一対の前方フラップ部）を備える場合には、第１領域及び第２領域のそれぞれにおいて、前方フラップ部が、前方フラップ部の外縁と、吸収コアの側縁との間の、吸収性物品の幅方向の長さが、吸収コアの側縁と、長手方向中央線との間の、吸収性物品の幅方向の長さよりも長い部分を含み、好ましくは１．１倍以上、より好ましくは１．２倍以上、そしてさらに好ましくは１．３倍以上長い部分を含む。そうすることにより、着用者が前方フラップ部を把持しやすくなり、吸収性物品の位置を調整しやすくなる。なお、上述の長さの関係は、吸収性物品の幅方向に延びる同一直線上で満たすことが好ましい。
【００８６】
また、上述の場合には、一対の前方フラップ部のそれぞれは、着衣に固定するための固定部を有しないことが好ましい。吸収性物品の着用の際に、着用者が一対の前方フラップ部を把持するとともに、着用状態において、一対の前方フラップ部が、着衣の外側に延出する場合があるからである。さらに、一対の前方フラップ部のそれぞれは、一対の中央フラップ部よりも、吸収性物品の幅方向外側に延出する部分を有することが好ましい。吸収性物品を着用する際に、一対の中央フラップ部を吸収性物品の幅方向外側の所定の位置に調整しやすくなるからである。
【００８７】
本開示の吸収性物品が、第１領域及び第２領域のそれぞれにおいて、後方フラップ部（一対の後方フラップ部）を備える場合には、第１領域及び第２領域のそれぞれにおいて、後方フラップ部が、後方フラップ部の外縁と、吸収コアの側縁との間の、吸収性物品の幅方向の長さが、吸収コアの側縁と、長手方向中央線との間の、吸収性物品の幅方向の長さよりも長い部分を含み、好ましくは１．１倍以上、より好ましくは１．２倍以上、そしてさらに好ましくは１．３倍以上長い部分を含む。そうすることにより、一対の後方フラップ部が、一対のレッグギャザーが着衣の内側に入り込むのを抑制するように作用しやすくなる。なお、上述の長さの関係は、吸収性物品の幅方向に延びる同一直線上で満たすことが好ましい。
【００８８】
また、上述の場合には、一対の後方フラップ部のそれぞれは、着衣に固定するための固定部を有することが好ましい。一対のレッグギャザーが着衣の内側に入り込むのを抑制する観点からである。さらに、一対の後方フラップ部のそれぞれは、一対の中央フラップ部よりも、吸収性物品の幅方向外側に延出する部分を有することが好ましい。一対のレッグギャザーが、着衣の内側に入り込みにくくなるからである。また、その場合には、一対の後方フラップ部のそれぞれは、一対の中央フラップ部よりも、吸収性物品の幅方向外側に延出する部分に上記固定部を有することがさらに好ましい。一対のレッグギャザーが、着衣の内側により入り込みにくくなるからである。
【００８９】
第１実施形態に従う吸収性物品１では、第１フラップ部５及び第２フラップ部９が、それぞれ、中央領域ＣＲから後方領域ＢＲにかけて、第１弾性部材３３及び第２弾性部材３５を備えていたが、本開示の吸収性物品では、一対のフラップ部が、中央領域の少なくとも一部に弾性部材を備えていればよい。一対のフラップ部のそれぞれが、中央領域の少なくとも一部において、弾性部材とともに、レッグギャザー（一対のレッグギャザー）を形成することにより、体液が漏れにくくなるからである。
【００９０】
また、一対のレッグギャザーのそれぞれを構成する弾性部材（一対の弾性部材）が、長手方向の前方の端部と、後方の端部とを有し、前方の端部が、後方の端部よりも、幅方向中央線に近いことが好ましい。吸収性物品の着用の際に、一対の前方フラップ部が、弾性部材につられて吸収性物品の幅方向の内側（長手方向中央線側）に入り込みにくく、着用者が、一対の前方フラップ部を把持し、吸収性物品の位置を整えやすいからである。
【００９１】
本開示の吸収性物品が、一対のフラップ部を後方領域に備える場合（一対の後方フラップ部を備える場合）には、一対のレッグギャザーを構成する一対の弾性部材は、後方領域まで、すなわち、一対の後方フラップ部まで延びていてもよい。一対の後方フラップ部は、レッグギャザーを構成する弾性部材の影響を受けにくいためである。
また、本開示の吸収性物品が、一対のフラップ部を前方領域に備える場合（一対の前方フラップ部を備える場合）には、レッグギャザーを構成する弾性部材は、前方領域まで、すなわち、一対の前方フラップ部まで延びていないことが好ましい。一対の前方フラップ部は、レッグギャザーを構成する弾性部材の影響を受けやすく、一対の前方フラップ部が着衣の内側に入り込みやすくなるからである。
【００９２】
第１実施形態に従う吸収性物品１は、第１領域ＦＩ及び第２領域ＳＥにおいて、第１防漏壁２１及び第２防漏壁２７を有していたが、本開示の吸収性物品は、第１領域及び第２領域のそれぞれにおいて、防漏壁を有しなくともよい。本開示の吸収性物品が、着用状態において、一対のレッグギャザーを備えることにより、本開示の効果が奏されるからである。
【００９３】
本開示の吸収性物品が、一対の防漏壁を備える場合には、それらの固定端は、一対のフラップ部上に存在することが好ましい。吸収性物品の着用状態において、一対の中央フラップ部（一対のレッグギャザー）が、着用者の内ももに沿って下方に延びるにつれて、一対の防漏壁が着用者の肌に向かって起立しやすくなるからである。
また、本開示の吸収性物品が、一対の防漏壁を備える場合には、それらの自由端は、吸収性本体部上に存在することが好ましい。一対の中央フラップ部（一対のレッグギャザー）が、着用者の内ももに沿って下方に延びるにつれて、一対の防漏壁が着用者の肌に向かって且つ内向きに起立しやすくなるからである。
【００９４】
本開示の吸収性物品では、第１領域及び第２領域のそれぞれでは、レッグギャザーを構成する弾性部材が、幅方向中央線及び吸収コアの側縁が交差する交点と、前方フラップ部の外縁の幅方向の最も外側の部分の中で長手方向の中央に位置する前方点とを結ぶ仮想線分と、吸収性物品の厚さ方向に重複しないように配置されていることが好ましい。着用状態において、一対のレッグギャザーが、着衣に引きつられて着衣の内側に引き込まれにくくなり、吸収性物品の位置がずれにくく、一対のレッグギャザーがその機能を発揮しやすくなるからである。
【００９５】
本開示の吸収性物品が、前方領域において、一対のフラップ部を備える場合（一対の前方フラップ部を備える場合）には、第１実施形態と同様に、吸収性本体部が、第１前方フラップ部の外縁の幅方向の最も外側の部分の中で長手方向の中央に位置する第１前方点と、第２前方フラップ部の外縁の幅方向の最も外側の部分の中で長手方向の中央に位置する第２前方点とを通る仮想線よりも前方に、着衣に固定するため固定部を備えることが好ましい。着用者が、吸収性物品の着用の際に、一対の前方フラップ部を把持して吸収性物品の位置を整えやすくなるとともに、着用状態において吸収性物品の前方領域の部分が着用者の鼠径部にフィットし続け、そして吸収性物品がよれにくくなるからである。
なお、本開示の実施形態の１つに従う吸収性物品では、吸収性本体部が、上述の仮想線より前方に、固定部を有する。
【００９６】
本開示の吸収性物品が、前方領域において、一対のフラップ部を備える場合（一対の前方フラップ部を備える場合）には、第１領域及び第２領域のそれぞれにおいて、吸収性物品の幅方向中央線と、吸収コアの側縁とが交差する交点と、前方フラップ部の外縁の幅方向の最も外側の部分の中で長手方向の中央に位置する前方点とを結ぶ前方仮想線分が、フラップ部の外縁と、前方点を除いて上記吸収性物品の厚さ方向に重複していないことが好ましい。そうすることにより、上述のように、着用者が吸収性物品の着用状態において違和感を覚えにくくなるからである。
【００９７】
本開示の吸収性物品が、後方領域において、一対のフラップ部を備える場合（一対の後方フラップ部を備える場合）には、第１領域及び第２領域のそれぞれにおいて、後方フラップ部が、着衣に固定するための固定部を有し、吸収性物品の幅方向中央線と、吸収コアの側縁とが交差する交点と、後方フラップ部の外縁の幅方向の最も外側の部分の中で長手方向の中央に位置する後方点とを結ぶ後方仮想線分が、フラップ部の外縁と、後方点を除いて吸収性物品の厚さ方向に重複していないことが好ましい。上述のように、着用者が吸収性物品の着用状態において違和感を覚えにくくなるからである。
【００９８】
なお、上述の前方点（第１前方点、第２前方点）は、前方フラップ部の外縁の幅方向の最も外側の部分が一定の長さを有しない場合、すなわち、点である場合には、当該点を意味し、一定の長さを有する場合には、その長手方向の中央に位置する点を意味する。同様に、上述の後方点（第１後方点、第２後方点）は、後方フラップ部の外縁の幅方向の最も外側の部分が一定の長さを有しない場合、すなわち、点である場合には、当該点を意味し、一定の長さを有する場合には、その長手方向の中央に位置する点を意味する。
【００９９】
本開示の吸収性物品は、折り畳まれ、例えば、２つ折り、３つ折り、４つ折り等にされ、個包装され、個包装された吸収性物品として市販されることができる。本開示の吸収性物品は、幅方向中央線に沿って２つ折りにされることにより、着用状態において幅方向中央線に沿って、着用者との間に空隙ができやすくなり、着用者の皮膚が、吸収性物品が吸収した体液に直接触れにくくなる。
【０１００】
本開示の吸収性物品では、第１弾性部材及び第２弾性部材は、特に制限されず、例えば、線状の弾性部材、例えば、糸ゴム、平ゴム、面状の線状部材、例えば、伸縮性シート（例えば、伸縮性不織布）等が挙げられる。第１弾性部材及び第２弾性部材のそれぞれが、面状の線状部材であることにより、第１レッグギャザー及び第２レッグギャザーのそれぞれが、着用者の内ももに面でフィットすることができ、第１レッグギャザー及び第２レッグギャザーのそれぞれが、肌触りに優れる。
【０１０１】
本開示の吸収性物品としては、着衣に固定して用いられる吸収性物品であれば、特に制限されず、例えば、女性用の吸収性物品、例えば、生理用ナプキン、パンティーライナー、尿取りパッド等が挙げられる。また、本開示の吸収性物品は、長手方向中央線において線対称であることが好ましい。
【符号の説明】
【０１０２】
１    吸収性物品
３    吸収性本体部
５    第１フラップ部
６    第１前方フラップ部
７    第１中央フラップ部
８    第１後方フラップ部
９    第２フラップ部
１０    第２前方フラップ部
１１    第２中央フラップ部
１２    第２後方フラップ部
１３    一方の側縁
１４    他方の側縁
１５    第１吸収コア側縁
１６    第２吸収コア側縁
１７    固定部
２１    第１防漏壁
２２    固定端
２３    自由端
２４    弾性部材
２７    第２防漏壁
２８    固定端
２９    自由端
３０    弾性部材
３１，３２    弾性部材
３３    第１弾性部材
３３ａ    前方の端部
３３ｂ    後方の端部
３５    第２弾性部材
３５ａ    前方の端部
３５ｂ    後方の端部
４１，４２    外縁
４３    第１レッグギャザー
４４    第２レッグギャザー
Ｌ    長手方向
Ｗ    幅方向
ＬＣ    長手方向中央線
ＷＣ    幅方向中央線
ＦＲ    前方領域
ＣＲ    中央領域
ＢＲ    後方領域
ＦＩ    第１領域
ＳＥ    第２領域
【図１】
2017131578.tif 000003
【図２】
2017131578.tif 000004
【図３】
2017131578.tif 000005
【図４】
2017131578.tif 000006
【図５】
2017131578.tif 000007
【図６】
2017131578.tif 000008
【図７】
2017131578.tif 000009
【図８】
2017131578.tif 000010
【図９】
2017131578.tif 000011
【図１０】
2017131578.tif 000012